(57)【要約】【課題】本発明は、照明光源の破損がなく、構造が簡単で照明も明るい電気掃除機用吸込口具を提供することを目的とする。【解決手段】本発明は、電気掃除機本体６１から延びる吸込ホース３が接続される吸込把持部２と、この吸込把持部２に着脱自在に接続される隙間用吸込口部１とを有する電気掃除機用吸込口具において、前記吸込把持部は照明用の発光部２０を有し、隙間用吸込口部は、前記発光部の光を先端まで導く導光部２３を有することを特徴とする。【選択図】図１
2007267779.tif 000002
【特許請求の範囲】
【請求項１】
電気掃除機本体から延びる吸込ホースが接続される吸込把持部と、この吸込把持部に着脱自在に接続される隙間用吸込口部とを有する電気掃除機用吸込口具において、
前記吸込把持部は照明用の発光部を有し、
隙間用吸込口部は、前記発光部の光を先端まで導く導光部材を有することを特徴とする電気掃除機用吸込口具。
【請求項２】
請求項１記載の電気掃除機用吸込口具において、
前記吸込把持部は、把持部用基部と、前記吸込ホースを接続する継手カバーと、取っ手と、制御用基板とを有し、
前記発光部は、前記把持部用基部の外周側に配置したことを特徴とする電気掃除機用吸込口具。
【請求項３】
請求項１記載の電気掃除機用吸込口具において、
前記吸込把持部は、把持部用基部と、前記吸込ホースを接続する継手カバーと、取っ手と、制御用基板とを有し、
前記発光部のオン．オフを行なう手元スイッチを前記制御用基板に設けたことを特徴とする電気掃除機用吸込口具。
【請求項４】
請求項１記載の電気掃除機用吸込口具において、
隙間用吸込口部の外周側に形成した隆起部または外周側を厚く形成した肉厚部を前記導光部材としたことを特徴とする電気掃除機用吸込口具。
【請求項５】
請求項１記載の電気掃除機用吸込口具において、
隙間用吸込口部の外周側に形成した隆起部または外周側を厚く形成した肉厚部に前記導光部材を設け、この導光部材と前記隆起部または前記肉厚部は別部材で形成されていることを特徴とする電気掃除機用吸込口具。
【請求項６】
電気掃除機本体から延びる吸込ホースが接続される吸込把持部と、この吸込把持部に着脱自在に接続され、かつ伸縮自在なる延長管とを有する電気掃除機用吸込口具において、
前記吸込把持部は照明用の発光部を有し、
前記延長管は、前記発光部の光を先端まで導き、延長管の伸縮に応じて屈曲または伸縮する延長管用導光部材を有することを特徴とする電気掃除機用吸込口具。
【請求項７】
請求項６記載された何れかの電気掃除機用吸込口具において、
前記延長管の先端側に着脱自在なる隙間用吸込口部を備え、
隙間用吸込口部は、前記延長管用導光部材が伝搬する前記発光部の光を先端まで導く導光部材を有することを特徴とする電気掃除機用吸込口具。
【請求項８】
下面に設けられ、横手方向に延在する吸込開口を有する吸込口部と、この吸込口部より流入した塵埃空気が流通する吸口継手部とを有する電気掃除機用吸込口具において、
前記吸口継手部の上部に吸込口部の前方に明かりを照らす発光部を設けたことを特徴とする電気掃除機用吸込口具。
【請求項９】
電気掃除機本体から延びる吸込ホースが接続される吸込把持部と、この吸込把持部に着脱自在に接続される伸縮の自在なる延長管と、この延長管に着脱自在に接続される吸込口体とを有する電気掃除機用吸込口具において、
前記吸込口体は、下面に横手方向に延在するように形成される吸込開口が設けられている吸込口部と、この吸込口部より流入した塵埃空気が流通する吸口継手部と、この吸口継手部の上部に設けられた明かりを照らす照射部とを有し、
前記吸込把持部は、照明用の発光部を有し、
前記延長管は、前記発光部の光を前記照射部まで導く延長管用導光部材を有する電気掃除機用吸込口具。
【請求項１０】
電気掃除機本体から延びる吸込ホースが接続される吸込把持部と、この吸込把持部に着脱自在に接続される伸縮の自在なる延長管と、この延長管に着脱自在に接続される吸込口体とを有する電気掃除機用吸込口具において、
前記吸込把持部には、情報処理部や表示部を備えた制御用基板、照明用ないし信号用の光りを出したり受けたりする発光部、及び受光部を設け、
前記吸込口体には、回転ブラシを駆動する駆動モータ、この駆動モータを制御する制御部、前記発光部の光りを受光する吸込口体用受光部、前記受光部に吸込口部側の情報を送る吸込口部用発光部を設け、
前記延長管には、前記発光部および前記吸込口部用発光部が発光する光りを伝達する延長管用導光部材が設けられたことを特徴とする電気掃除機用吸込口具。
【発明の詳細な説明】
【技術分野】
【０００１】
本発明は、電気掃除機の延長管や吸込把持部に接続される電気掃除機用吸込口具の改良に関する。
【背景技術】
【０００２】
電気掃除機用吸込口具は、例えば特開平５−２２８０８９号公報（特許文献１）に示されている。
【０００３】
特許文献１に示される電気掃除機の吸込口は、内部に回転ブラシ、上面に照明光源を備えた照明室を有する。この照明室はベッド下等の高さが低い所の掃除では吸込口内に収納される。
【０００４】
【特許文献１】特開平５−２２８０８９号公報
【発明の開示】
【発明が解決しようとする課題】
【０００５】
吸込口の照明光源は、掃除中に照明光源が家具に当たった破損するのを防ぐために照明室内に配置されたり、吸込口の内部側に配置されたりする。このため、吸込口が大きくなり、高さが低い所の掃除でも対応できるように照明室を吸込口内に収納する複雑な構成になる。
【０００６】
上記に問題に対処し、本発明は、照明光源の破損がなく、構造が簡単な電気掃除機用吸込口具を提供することを目的とする。
【課題を解決するための手段】
【０００７】
本発明は、電気掃除機本体から延びる吸込ホースが接続される吸込把持部と、この吸込把持部に着脱自在に接続される隙間用吸込口部とを有する電気掃除機用吸込口具において、前記吸込把持部は照明用の発光部を有し、隙間用吸込口部は、前記発光部の光を先端まで導く導光部材を有することを特徴とする。
【発明の効果】
【０００８】
本発明によれば、照明光源の破損がなく、構造が簡単な電気掃除機用吸込口具を提供することができる。
【発明を実施するための最良の形態】
【０００９】
本発明の実施例について、図を引用して説明する。
【００１０】
まず、第1実施例について、図1〜図４を引用して説明する。
【００１１】
隙間用吸込口部１は、吸込把持部２に着脱自在に接続される。吸込把持部２は、図３に示す吸込ホース３を介して電気掃除機本体に連通するように接続される。
【００１２】
吸込把持部２は、取っ手４、ホースつなぎカバー５を有する。取っ手４には、手元電気回路基板６が設けられる。手元電気回路基板６は、複数の操作ボタンスイッチ７を有する。手元電気回路基板６には、吸込ホース３を這う配線コード８を介して電気が供給される。
【００１３】
クランプ９は、取っ手４の前側に設けられる。このクランプ９は、吸込把持部２に着脱自在接続される延長管を係脱自在に拘束する。
【００１４】
発光部２０は、吸込把持部２の先端側に設けられる。この発光部２０は、吸込把持部２の外側と取っ手カバー２１との間に配置される。発光部２０には、発光用配線コード２２を介して手元電気回路基板６より発光の電気が供給される。
【００１５】
発光部２０、発光用配線コード２２は、吸込把持部２の外側に設けられているので、吸込把持部２内を流通する塵埃空気に触れなく、汚れが生じ難い。発光部２０は、操作ボタンスイッチ７のオン・オフにより、点灯、消燈が行なわれる。
【００１６】
発光部２０が発光した光は、隙間用吸込口部１に導光され、隙間用吸込口部１の先を照らす。発光部２０は、発光ダイオード、豆ランプ、その他の発光手段を含む。
【００１７】
隙間用吸込口部１は、後端の接続側が円形で先端側が縦に細く絞られた形状を有する。また先端側は横から見ると、上側が前に突き出るように斜形の吸込口を有している。
【００１８】
導光部２３は、隙間用吸込口部１の上側に前後に延在するように設ける。導光部２３を形成する導光部材は、導光性の良好な合成樹脂、光ファイバー等を含み、隙間用吸込口部１と一体に形成される。
【００１９】
導光部２３の後端は、隙間用吸込口部１の後端から前側に離れて位置する。これは、吸込把持部２に挿入接続する接続代分を確保するためである。
【００２０】
隙間用吸込口部１は、吸込把持部２に挿入接続すると、導光部２３の後端が発光部２０に当接ないし近接する。このため、発光部２０が発光する光は、導光部２３に良好に伝わる。導光部２３の先端から放射した光は、隙間用吸込口部１の前方を明るく照らす。
【００２１】
図２に示すように、家具２４、２５間の隙間に隙間用吸込口部１を差し入れてする隙間の掃除では、隙間の暗がりが隙間用吸込口部１の先端から放射する光で照らされる。隙間の奥まで明るく良く見え、掃除が良くできる。
【００２２】
放射光は、隙間用吸込口部１の先端から行なわれるので隙間の奥まで照明光りが届く。導光部２３の先端は、隙間用吸込口部１の突き出た先端に位置しているので、殊のほか照明光りが隙間の奥まで良く届くのである。
【００２３】
隙間用吸込口部１には、発光部２０が設けられていないので、隙間掃除で隙間用吸込口部１の先端が家具等の当たっても従来のような照明光源の破損に至ることはなく、隙間掃除を支障なく行なうことができる。
【００２４】
また、隙間用吸込口部１に導光部２３を設けるだけなので、構成が簡単で安価にできる。
【００２５】
また、隙間用吸込口部１は汚れ易いので水洗いをする。発光部２０を隙間用吸込口部１に設けないので、水洗いにも好適である。
【００２６】
図５に示す第２実施例では、隙間用吸込口部１とは別の導光部材２６により導光部２３を設けた。導光部材２６は、光ファイバーを含む導光性の良好な材料が望ましい。
【００２７】
図６に示す第３実施例では、隙間用吸込口部１とは別の導光部材２７を接合させて導光部２３を設けた。隙間用吸込口部１と導光部材２７の接合部には、前側半分程度の長さ範囲に亘り山形の凹凸部２８（粗面部）を設けた。導光部材２７に導かれる光りは導光部２３の先端から放射されるが、一部は凹凸部２８に屈折、反射して隙間用吸込口部１の表面に放射される。
【００２８】
隙間用吸込口部１は、暗がり中に前側表面のところが光って見えるので、隙間用吸込口部１自体の存在を確認でき、隙間用掃除の使い勝手が向上する。
【００２９】
第１実施例〜第３実施例の導光部材２６は、塵埃空気が流通する隙間用吸込口部１の内周部から隔絶されているので、汚れによる光伝導の支障は生じない。
【００３０】
図７は第４実施例を示す。この実施例は、吸込把持部２の取っ手４にバッテリー２９を設けたところが特徴である。バッテリー２９は、手元電気回路基板６や発光部２０に電気を供給する電源である。
【００３１】
バッテリー２９は、取っ手４の後部握部に設けたバッテリー収納室４０に内置される。バッテリー蓋４１は、取っ手４に回動自在に設けられる。このバッテリー蓋４１は、バッテリー２９の交換に際し、開け閉めされる。
【００３２】
バッテリー２９を取っ手４に備えることにより、吸込ホース３に這せる配線コード８は不要になる。配線コード８を這わせない吸込ホース３は構成が簡単で生産性が良い。また配線コード８がないので、吸込ホース３の可撓性は増して掃除がし易くなる。
【００３３】
第５実施例について、図８、図９、図１０を引用して説明する。
【００３４】
この第５実施例は、延長管４２に光りを導く延長管用導光部材４３を設けたところが特徴である。
【００３５】
この第５実施例の隙間用吸込口部１は、第１実施例の隙間用吸込口部と共通である。また、吸込把持部２も第５実施例の吸込把持部と共通である。
【００３６】
延長管４２は、根元側になる外側管３３と、先側になる内側管４４を有する。外側管３３と内側管４４は摺動自在に連結される。外側管３３は延長管用クランプ４５を有する。延長管４２を伸ばした際に内側管４４を拘束して延長管４２の伸縮を止める。
【００３７】
内側管４４は、吸込口体用クランプ４６を有する。この吸込口体用クランプ４６の用途については、後で述べる。
【００３８】
延長管４２は、内側管４４の外側に設ける内側管用カバー４７と、外側管３３の外側に設ける外側管用カバー４８を有す。内側管用カバー４７は内側管４４側に固定される。外側管用カバー４８は外側管３３側に固定される。
【００３９】
外側管用カバー４８は内側管用カバー４７の外側面に摺接する。外側管３３と内側管４４の伸び縮みに伴い外側管用カバー４８と内側管用カバー４７は摺動する。
【００４０】
延長管用導光部材４３は、外側管３３および内側管４の外側と、外側管用カバー４８および内側管用カバー４７の内側との間に配置される。
【００４１】
延長管用導光部材４３の一方の端部である外側管３３側の端部は、外側管３３側または外側管用カバー４８に固定される。また、延長管用導光部材４３の他方の端部である内側管４４側の端部は、内側管４４側または外側管用カバー４８に固定される。
【００４２】
延長管用導光部材４３は、外側管３３と内側管４４の長さが縮小されているときには中間に屈曲により折畳部４９ができる。外側管３３と内側管４４の長さが伸ばされたときには、屈曲による折畳部４９はなくなる。
【００４３】
延長管用導光部材４３は、光の伝達が良く、可撓性を有する平型ファイバーのような材料で形成される。平型にすると、延長管用導光部材４３の折畳が良く行なわれる。
【００４４】
延長管４２を吸込把持部２に接続すると、延長管用導光部材４３の外側管３３側の端部は、発光部２０に当接ないし近接する。このため、発光部２０が発光する光りは、延長管用導光部材４３に良好に伝わる。
【００４５】
隙間用吸込口部１を内側管４４に接続すると、延長管用導光部材４３の内側管４４側の端部は、隙間用吸込口部１の後端側に当接ないし近接する。このため、延長管用導光部材４３を伝わって来た光りは、隙間用吸込口部１の導光部２３に良好に伝わる。
【００４６】
このように延長管用導光部材４３を設けた延長管４２を用いることにより、隙間用吸込口部１だけでは届かない奥の深い隙間でも明るく照らして良く掃除することができる。
【００４７】
延長管用導光部材４３は、外側管３３および内側管４４の外側に置かれているので、外側管３３や内側管４４の内部を流通する塵埃空気により汚れることは生じない。また、延長管用導光部材４３は、外側管用カバー４８および内側管用カバー４７の内側に置かれて剥き出しにならないので、傷まない。
【００４８】
図１１に示す第６実施例は、コイル形状の延長管用導光部材４３Ａを用いたところが特徴である。外側管３３や内側管４４の伸縮に応じて、コイル形状の延長管用導光部材４３Ａは伸び縮みする。この特徴を除くと、第６実施例は第５実施例と共通である。
【００４９】
第７実施例について、図１２〜図１６を引用して説明する。
【００５０】
この実施例は、吸込口体６０を設けたところが特徴である。この特徴を除くと、第５実施例と共通である。説明は、吸込口体６０について、主にする。
【００５１】
この吸込口体６０は、図１２に示すように、延長管、吸込ホースを介して電気掃除機本体６１に連通するように接続される。
【００５２】
吸込口体６０は、図１５、図１６に示すように、吸口外ケース６２と、吸口外ケース６２に内置される回転ブラシ６３を有する。吸口外ケース６２は、横方向に長い形状をしている。吸口外ケース６２の下面には、横方向に長い吸込開口６４を有する。
【００５３】
回転ブラシ６３は、横方向に長い円柱形状をしている。回転ブラシ６３の外周側は、吸込開口６４から外側に少し突き出る。このため、回転ブラシ６３は、絨毯等の床面を掻く。掻き出された塵埃は、電気掃除機本体６１の吸引力により、吸込開口６４から吸い込まれる。
【００５４】
吸込口体６０は、吸込開口６４の後方下面に走行ローラ６５を有する。走行ローラ６５により、吸込口体６０は床面を良く滑るので、吸込口体６０の走行操作が軽くなる。
【００５５】
吸込口体６０は、自在継手通路６６と、吸口継手部６７を有する。自在継手通路６６は吸込口体６０に上下方向回動自在に連結されている。吸口継手部６７は、自在継手通路６６左右横方向に回動自在に連結されている。このため、吸口継手部６７は、吸込口体６０に対し、上下方向および左右横方向に自在に回動する。
【００５６】
吸口継手部６７は、上部に継手カバーを含む隆起部６８を有する。この隆起部６８に導光部６９を設ける。導光部６９は、隆起部６８に導光部材を埋設して形成する。導光部材は、光りファイバーなどを用いる。導光部６９の導光部材は、後端が隆起部６８の後端面に、前端が隆起部６８の後端面に臨む。
【００５７】
吸込口体６０は、図１５に示すように、延長管４２に接続される。吸口継手部６７を内側管４４に挿入して吸込口体６０と延長管４２の接続は行なわれる。吸込口体用クランプ４６により吸口継手部６７が拘束されるので、吸込口体６０は延長管４２から外れない。
【００５８】
吸込口体６０が延長管４２に接続されると、導光部６９の後端が延長管用導光部材４３の内側管４４側の端部に当接ないし近接する。このため、発光部２０が発光する光は、延長管用導光部材４３を介して導光部６９に伝達され、導光部６９の前端から放射される。この放射される光りにより、吸込口体６０の前方は明るく照らされる。
【００５９】
図１３は、吸込口体６０を使用して掃除しているところを示している。
【００６０】
（Ａ）は通常の使用状態で、吸込口体６０の直ぐ前が照らされている。（Ｂ）は低い隙間を掃除するために延長管を寝せた使用状態で、吸込口体６０から離れたところが照らされている。（Ｃ）は延長管を少し起こした使用状態で、吸込口体６０から少し離れたところを照らしている。
【００６１】
このように使用状態により、照らすところが変わるのは、自在継手通路６６を介して吸込口体６０に連結される吸口継手部６７に光りを放射する導光部６９を設けたことによるものである。使用状態に応じて照らされるところが変わるので掃除がし易くなる。
【００６２】
図１４は、吸込口体６０と照明光の向きを示している。
（Ａ）は吸込口体６０の向きを斜め横向きにした状態での掃除である。（Ｂ）は吸込口体６０の向きを正面に向けた状態での掃除である。上から見ると、吸込口体６０の向きに係わらず、照明光の向は常に前方である。これは、吸口継手部６７に光りを放射する導光部６９が設けられているからである。
【００６３】
吸込口体６０は、斜め横向、正面向きに係わらず、前後に移動させて掃除をする。常に動かされる前方が明るく照らされて掃除するところが良く見えるので、掃除がし易い。
【００６４】
第８実施例について、図１７、図１８を引用して説明する。
【００６５】
この実施例は、延長管４２に設けられている延長管用導光部材４３を情報伝達手段（光ファイバー）として利用し、吸込把持部２Ａと吸込口体６０Ａの情報がやり取りされるようにしたところが特徴である。
【００６６】
図１７に示すように、吸込把持部２Ａは、情報処理部８１、表示部８２、発光部８３、受光部８４、光送受部８５、情報処理部８１と表示部８２、発光部８３、受光部８４とを結ぶ信号線８６を有する。
【００６７】
吸込口体６０Ａは、回転ブラシ６３、駆動モータ８７、駆動モータ８の回転を回転ブラシ６３に伝達する伝達ベルト８８、情報発信用回路基板８９、信号線１０１、吸込口体用導光部材１０２（光ファイバー）を有する。情報発信用回路基板８９は、光信号を送受する光送受部を有する。
【００６８】
吸込把持部２Ａの発光部８３が発する光信号は、光送受部８５、延長管用導光部材４３、吸込口体用導光部材１０２を介して吸込口体６０Ａの情報発信用回路基板８９に伝達される。
【００６９】
吸込口体６０Ａの情報発信用回路基板８９が発する光信号も、吸込口体用導光部材１０２、延長管用導光部材４３、光送受部８５、受光部８４を介して吸込把持部２Ａの情報処理部８１に伝達される。情報処理部８１が処理した処理情報は表示部８２に表示される。
【００７０】
このように、吸込把持部２Ａは、吸込口体６０Ａとの情報交換を常時している。
【００７１】
図１８に示すように、吸込口体６０Ａが異物７１をかみこみ、回転ブラシ６３を駆動する駆動モータ８がロックすると、情報発信用回路基板８９よりロック情報が情報処理部８１に伝えられる。表示部８２には、その旨の表示がされるので、ロック解消の対応を速やかに行なうことができる。
【００７２】
また、電気掃除機本体６１に情報処理部と表示９２を設け、表示部８２と同様な表示をする。
【００７３】
第９実施例について、図１９、図２０を引用して説明する。
【００７４】
この実施例は、光照明と情報伝達の機能を併せて備えたところが特徴である。
【００７５】
図１９、図２０に示すように、吸込把持部２Ｂは、吸込把持部用情報処理基板１２１、発光部１２２（ＬＥＤ等）、受光部１２３（受光素子）、分光手段１２４（ハーフミラー）を有する。
【００７６】
吸込口体６０Ｂは、吸込口体用情報発信用回路基板１２５、投光部１２６（プラスチックレンズ等）、発光部１２７（ＬＥＤ等）、分光手段１２８（ハーフミラー）を有する。
【００７７】
図１９に示すように、吸込把持部２Ｂの発光部１２２（ＬＥＤ等）が発光した光は、分光手段１２４（ハーフミラー）で分光される。分光手段１２４で屈折されずに直進する光は、延長管４２に設けられている延長管用導光部材４３を伝わり、吸込口体６０Ｂの分光手段１２８（ハーフミラー）に向かう。
【００７８】
分光手段１２８（ハーフミラー）で、屈折されずに直進する光は投光部１２６（プラスチックレンズ等）を通過して吸込口体６０Ｂの前方に放射される。この放射光で、吸込口体６０Ｂの前は、明るく照らされる。
【００７９】
図２０に示すように、吸込口体６０Ｂに例えば、回転ブラシの駆動モータがロックする障害が生じたときは、吸込口体用情報発信用回路基板１２５が発光部１２７（ＬＥＤ等）にその旨の発光を指示する。
【００８０】
発光部１２７の発光信号は、分光手段１２８（ハーフミラー）で分光され、屈折した光は延長管４２の延長管用導光部材４３を伝わり、吸込把持部２Ｂの分光手段１２４（ハーフミラー）に届く。
【００８１】
分光手段１２４（ハーフミラー）で、屈折した光は吸込把持部２Ｂの受光部１２３（受光素子）に受光される。吸込把持部用情報処理基板１２１は、受光部１２３（受光素子）からの光信号を処理して駆動モータのロックを知る。その旨の表示を表示手段などに促がし、ロック解消の速やかな対応を求めることができる。
【００８２】
図１９に示す吸込把持部２Ｂの分光手段１２４（ハーフミラー）で屈折した光、図２０に示す吸込把持部２Ｂの分光手段１２４（ハーフミラー）で屈折されずに直進した光は、上述した用途以外に利用できる。
【００８３】
また、図１９に示す吸込口体６０Ｂの分光手段１２８（ハーフミラー）で屈折した光、図２０に示す吸込口体６０Ｂの分光手段１２８（ハーフミラー）で屈折されずに直進した光も、上述した用途以外に利用できる。
【００８４】
なお、分光手段（ハーフミラー）を用いる代わりに、二本の延長管用導光部材を備えることにより、光照明と情報伝達の機能が満たされる。
【図面の簡単な説明】
【００８５】
【図１】本発明の第１実施例に係わるもので、隙間用吸込口部と吸込把持部を示した斜視図である。
【図２】本発明の第１実施例に係わるもので、吸込把持部に隙間用吸込口部を接続して家具間の隙間を掃除しているところ示した斜視図である。
【図３】本発明の第１実施例に係わるもので、吸込把持部の断面図である。
【図４】本発明の第１実施例に係わるもので、吸込把持部を示した図である。（Ａ）は吸込把持部の縦断面図、（Ｂ）は（Ａ）図のＢ−Ｂ断面図、（Ｃ）は吸込把持部を前側から見た図である。
【図５】本発明の第２実施例に係わるもので、吸込把持部を示した図である。（Ａ）は吸込把持部の縦断面図、（Ｂ）は（Ａ）図のＢ−Ｂ断面図である。
【図６】本発明の第３実施例に係わるもので、吸込把持部を示した図である。（Ａ）は吸込把持部の縦断面図、（Ｂ）は吸込把持部の平面図である。
【図７】本発明の第４実施例に係わるもので、吸込把持部の断面図である。
【図８】本発明の第５実施例に係わるもので、接続されている隙間用吸込口部、延長管、吸込把持部の縦断面図である。
【図９】本発明の第５実施例に係わるもので、分離されている隙間用吸込口部、延長管、吸込把持部の縦断面図である。
【図１０】本発明の第５実施例に係わるもので、延長管、吸込把持部の拡大縦断面図である。
【図１１】本発明の第６実施例に係わるもので、延長管の縦断面図である。
【図１２】本発明の第７実施例に係わるもので、（Ａ）は電気掃除機本体を示した図、（Ｂ）は吸込口部を示した図である。
【図１３】本発明の第７実施例に係わるもので、吸込口体の使用状態を示す図である。（Ａ）は通常の使用状態、（Ｂ）は低い隙間を掃除するために延長管を寝せた状態、（Ｃ）は延長管を少し起こした状態を示している。
【図１４】本発明の第７実施例に係わるもので、吸込口体と照明光の向きを示した図である。（Ａ）は吸込口体の向きを斜め横向きにした状態、（Ｂ）は吸込口体の向を正面に向けた状態を示している。
【図１５】本発明の第７実施例に係わるもので、接続されている吸込口体、延長管、吸込把持部の縦断面図である。
【図１６】本発明の第７実施例に係わるもので、分離されている吸込口体、延長管、吸込把持部の縦断面図である。
【図１７】本発明の第８実施例に係わるもので、吸込口体、延長管、吸込把持部の内部を透視して示した図である。
【図１８】本発明の第８実施例に係わるもので、使用状態を示す図である。
【図１９】本発明の第９実施例に係わるもので、照明機能を説明する図である。
【図２０】本発明の第９実施例に係わるもので、情報伝達機能を説明する図である。
【符号の説明】
【００８６】
１…隙間用吸込口部、２…吸込把持部、３…吸込ホース、２０…発光部、６１…電気掃除機本体。
【図１】
2007267779.tif 000003
【図２】
2007267779.tif 000004
【図３】
2007267779.tif 000005
【図４】
2007267779.tif 000006
【図５】
2007267779.tif 000007
【図６】
2007267779.tif 000008
【図７】
2007267779.tif 000009
【図８】
2007267779.tif 000010
【図９】
2007267779.tif 000011
【図１０】
2007267779.tif 000012
【図１１】
2007267779.tif 000013
【図１２】
2007267779.tif 000014
【図１３】
2007267779.tif 000015
【図１４】
2007267779.tif 000016
【図１５】
2007267779.tif 000017
【図１６】
2007267779.tif 000018
【図１７】
2007267779.tif 000019
【図１８】
2007267779.tif 000020
【図１９】
2007267779.tif 000021
【図２０】
2007267779.tif 000022